(57)【特許請求の範囲】
【請求項１】
リアケースとフロントケースからなる本体ケースに、濡れた手を乾燥させる空気を吹き出すノズル部と、前記ノズル部に空気を送出するファンモーターと、前記ファンモーターから送出される空気を加熱する加熱手段と、前記ファンモーターへの空気の吸気口とを備えた手乾燥装置であって、前記ファンモーターは前記リアケースに固定されたファンモーター支持ケースにその吸込口を対向させて支持されるとともに、ファンモーターフロントケースと前記ファンモーター支持ケースとで包囲され、前記リアケースと前記ファンモーター支持ケースとの間に前記ファンモーターの吸込口と前記本体ケース側の吸気口とを連通する吸気風路を形成したことを特徴とする手乾燥装置であって、前記本体ケース側の前記吸気口から前記ファンモーターの前記吸込口に至る前記吸気風路を、前記ファンモーター支持ケースの外周壁に沿う円弧状としたことを特徴とする手乾燥装置。
【請求項２】
吸気風路の一部に前記吸気風路外に開放した開口を設けた請求項１に記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
洗浄後の濡れた手を乾燥させる装置として、高速空気流により手に付着した水滴を吹き飛ばし乾燥させる手乾燥装置が知られている（例えば、特許文献１参照）。
【０００３】
以下、その手乾燥装置を図７を参照しながら説明する。
【０００４】
本体ケース１０１は、前面と天面と両側面とを覆うフロントケース１０１Ａと、壁面側を覆うリアケース１０１Ｂとによって外装を形成している。本体ケース１０１の内部には、送風手段１０２と、この送風手段１０２と連通し送風空気を吹き出す吹出しノズル１０３と、電装部品を制御する制御手段１０４を設けている。送風手段１０２は、送風空気を発生させるブロアモーター１０２Ａと送風ケース１０２Ｂからなる。吹出しノズル１０３内の風路には送風空気を温風にする発熱手段１０５を設けている。本体ケース１０１の下面には、吹出しノズル１０３の吹出口と、送風空気を本体ケース１０１内部に取り込む吸込み口１０６と、この吸込み口１０６から吸い込まれる送風空気のほこりを除去するフィルター１０７が設けられている。
【特許文献１】特許第３９７０７６２号公報（０００７段落、図１）
【発明の開示】
【発明が解決しようとする課題】
【０００５】
このような従来の手乾燥装置では、リアケース１０１Ｂとフロントケース１０１Ａからなる本体ケース１０１の吸込み口１０６から吸い込まれる空気は、本体ケース１０１内に設けられたブロアモーター１０２Ａの吸込口に高速で吸い込まれていくが、この空気はリアケース１０１Ｂとフロントケース１０１Ａに囲まれて形成される空間を流れていくので、通風騒音とブロアモーター１０２Ａからの騒音が外部に大きく漏れてくるという課題があった。そして、外部に漏れる騒音を減衰させるために、吸音材を広く貼付したりすると、製造コストが上昇するという課題があった。
【０００６】
本発明は、このような従来の課題を解決するものであり、騒音の低い手乾燥装置を製造コストを上昇させないで提供することを目的とする。
【課題を解決するための手段】
【０００９】
本発明の手乾燥装置は、上記目的を達成するために、リアケースとフロントケースからなる本体ケースに、濡れた手を乾燥させる空気を吹き出すノズル部と、前記ノズル部に空気を送出するファンモーターと、前記ファンモーターから送出される空気を加熱する加熱手段と、前記ファンモーターへの空気の吸気口とを備えた手乾燥装置であって、前記ファンモーターは前記リアケースに固定されたファンモーター支持ケースにその吸込口を対向させて支持されるとともに、ファンモーターフロントケースと前記ファンモーター支持ケースとで包囲され、前記リアケースと前記ファンモーター支持ケースとの間に前記ファンモーターの吸込口と前記本体ケース側の吸気口とを連通する吸気風路を形成したことを特徴とする手乾燥装置であって、前記本体ケース側の前記吸気口から前記ファンモーターの前記吸込口に至る前記吸気風路を、前記ファンモーター支持ケースの外周壁に沿う円弧状としたものである。
【００１０】
また、他の手段は、吸気風路の一部に前記吸気風路外に開放した開口を設けたものである。
【発明の効果】
【００１６】
本発明によれば、リアケースとフロントケースからなる本体ケースに、濡れた手を乾燥させる空気を吹き出すノズル部と、前記ノズル部に空気を送出するファンモーターと、前記ファンモーターから送出される空気を加熱する加熱手段と、前記ファンモーターへの空気の吸気口とを備えた手乾燥装置であって、前記ファンモーターは前記リアケースに固定されたファンモーター支持ケースにその吸込口を対向させて支持されるとともに、ファンモーターフロントケースと前記ファンモーター支持ケースとで包囲され、前記リアケースと前記ファンモーター支持ケースとの間に前記ファンモーターの吸込口と前記本体ケース側の吸気口とを連通する吸気風路を形成したことを特徴とする手乾燥装置であって、前記本体ケース側の前記吸気口から前記ファンモーターの前記吸込口に至る前記吸気風路を、前記ファンモーター支持ケースの外周壁に沿う円弧状としたことにより、送風性能の向上と室内への騒音伝播の低減により低騒音で、かつ、電装品が保護されて品質を向上させ、製造コストの上昇を招くことなくなるとともに、吸気風路の長さをファンモーター支持ケース内における最長の距離とすることができ、吸気流がスムーズに流れるので、騒音の室内への伝播をさらに減衰させることができる。
【００１７】
また、吸気風路の一部に前記吸気風路外に開放した開口を設けたことにより、吸気流に水滴が混ざってもファンモーターに吸い込まれないので、ノズル部から湿度の低い空気を吹き出し、手の乾燥効率を向上させることができる。
【発明を実施するための最良の形態】
【００２３】
本発明の請求項１記載の手乾燥装置は、リアケースとフロントケースからなる本体ケースに、濡れた手を乾燥させる空気を吹き出すノズル部と、前記ノズル部に空気を送出するファンモーターと、前記ファンモーターから送出される空気を加熱する加熱手段と、前記ファンモーターへの空気の吸気口とを備えた手乾燥装置であって、前記ファンモーターは前記リアケースに固定されたファンモーター支持ケースにその吸込口を対向させて支持されるとともに、ファンモーターフロントケースと前記ファンモーター支持ケースとで包囲され、前記リアケースと前記ファンモーター支持ケースとの間に前記ファンモーターの吸込口と前記本体ケース側の吸気口とを連通する吸気風路を形成したことを特徴とする手乾燥装置であって、前記本体ケース側の前記吸気口から前記ファンモーターの前記吸込口に至る前記吸気風路を、前記ファンモーター支持ケースの外周壁に沿う円弧状としたものであり、本体ケース側の吸気口から吸気された吸気流は、吸気口とファンモーターの吸込口を連通する吸気風路内を流れるので、スムーズに流れ送風性能が向上し、吸気流はプリント基板等の電装品に触れずに流れるので品質が向上し、さらに、ファンモーターがファンモーター支持ケースとファンモーターフロントケースとで包囲されているので、室内へ伝播する騒音が低減するとともに、ファンモーターの吸込口から吸気口までの距離が長くなり、また、吸気風路は長くなっても円弧状であるので、吸気流はスムーズに流れるという作用を有する。
【００２４】
また、請求項２記載の手乾燥装置は、吸気風路の一部に前記吸気風路外に開放した開口を設けたものであり、吸気風路内を高速で流れる吸気流の風速を、吸気風路外に開放した開口によって若干低下させ、吸気流に水滴がまざっても、水滴をファンモーターの吸込口から吸い込まれる前に落下させる。
【００２８】
以下、本発明の実施の形態について、図１〜６を参照しながら説明する。
【００２９】
（実施の形態１）
図１〜４に示すように、リアケース１Ａとフロントケース１Ｂとを嵌合させて本体ケース１を形成し、本体ケース１の下面に濡れた手を乾燥させる空気を吹き出すノズル部２と、前記ノズル部２に空気を送出するファンモーター３と、前記ファンモーター３から送出される空気を加熱する加熱手段４と、前記ファンモーター３への空気の吸気口５とを備えている。
【００３０】
また、本体ケース１内において、リアケース１Ａにファンモーター支持ケース６が固定され、このファンモーター支持ケース６にファンモーター３が、その吸込口３Ａをリアケース１Ａに対向させて支持されるとともに、ファンモーター支持ケース６にファンモーターフロントケース７を突き合わせてファンモーター３を包囲している。
【００３１】
そして、リアケース１Ａとファンモーター支持ケース６との間に独立した空間で、ファンモータの吸込口３Ａから本体ケース１の下面に設けた吸気口５に連通する吸気風路８を形成している。
【００３２】
ここで吸気口５は、ファンモーター支持ケース６の下端部に一体成型し、本体ケース１からから下方に臨むように設けられている。そして、図３に示すように、吸気風路８をファンモーター支持ケース６の外周壁９に沿い円弧状とし、吸気流がファンモーター３の回転する方向と同じ方向に流れるように形成している。すなわち、吸気風路８は、ファンモーター支持ケース６内を極力長く、かつ滑らかな流路となるように形成されている。
【００３３】
また、図４に示すように、吸気風路で形成するファンモーター支持ケース６の外周壁９の一部に吸気風路８外に開放した開口１０を設けている。
【００３４】
次に上記構成の手乾燥装置の運転について説明する。
【００３５】
使用者が濡れた手を乾燥するためにノズル部２の下方に差し出すと、図示しない検知部が手を検知してファンモーター３と加熱手段４に通電し、温風がノズル部２から高速で吹出される。このとき、ファンモーター３への吸気流は、ノズル部２から空気を吹き出す空間である本体ケース１の下方の空間に臨んで設けられた吸気口５から吸気されるので、ノズル部２から吹出す温風を吸気してノズル部２から吹出す循環流が形成され、手を乾燥させるための温風の温度立ち上がり特性が向上する。そして吸気口５からの吸気流はリアケース１Ａとファンモーター支持ケース６との間に形成される円弧状の吸気風路８を流れ、ファンモーター３の吸込口３Ａに吸気されていく。吸気風路８は円弧状で長い流路長となるように形成されているので、吸気流に水滴が混じっても、流れていく過程で吸気風路８の外周壁９等に付着してファンモーター３の吸込口３Ａには水滴が至らないこととなるとともに、内部において独立した通風路となっているので、本体ケース１内に設けたプリント基板などの電装部品１０に吸気流に混じったほこりが触れることがなくなり品質が向上する。また、吸気風路８は長い流路長となっていても円弧状で、かつ、ファンモーター３の回転方向と同じ方向に流れるように形成されているので、吸気風路８内での空気の乱れを最小限に抑えることができ、送風性能を向上させることができるとともに、騒音を低減させることができる。
【００３６】
さらに、吸気風路８内を高速で流れる吸気流の風速を、吸気風路８外に開放した開口１０によって若干低下させ、吸気流に水滴がまざったり、いたずらで故意に水を注水した場合でも風路内の流速と重力とのバランスで、水滴をファンモーター３の吸込口３Ａから吸い込まれる前に落下させる。
【００３７】
このように本発明の実施形態１の手乾燥装置によれば、ファンモーター３への吸気風路８をリアケース１Ａとファンモーター支持ケース６との間に形成し、ファンモーター３をファンモーター支持ケース６とファンモーターフロントケース７とで包囲することにより、ファンモーターの騒音および通風音の室内への伝播を抑えることができ、また吸気風路８を円弧状で長く形成し、また、その一部に流路外に開放した開口１０を設けることにより、送風性能を向上させて騒音を低減させるとともに、吸気流中に混じる水滴やほこりの侵入を阻止して品質を向上させ、またノズル部２が温風を吹出す空間からの吸気する位置に吸気口５を設けることにより、温風の温度立ち上がり特性を向上させ、さらに吸気口５をファンモーター支持ケース６に一体に形成することにより、部品点数と組み立て工数を削減でき、製造コストの上昇を抑えることができる。
【００３８】
以上のように、低騒音の手乾燥装置を低騒音化のための専用の材料・部品を使用しないで製造コストの上昇を招くことなく、提供することができ、さらには品質の向上または温度特性の向上による手乾燥効率を確保したうえで低騒音化できることとなる。
【００３９】
なお、本実施の形態１では、吸気口５をファンモーター支持ケース６に一体に形成しているが、リアケース１Ａに一体に形成してもよい。
【００４０】
（参考例１）
参考例１は、図５に示すように、上記実施の形態１に対し、吸気口５Ａが本体ケース１の下方に設けた水受け部１１の下方から吸気する位置に設けられたことが相違する。
【００４１】
なお、図４において、実施の形態１を示す図１〜４と同じ構成要素については同じ符号を付し、その説明を省略する。
【００４２】
本体ケース１の下方に、ノズル部２から吹き出す空気によって濡れた手からの吹き飛ばされる水滴を受ける水受け部１１の後方下部に吸気口５Ａを設けている。
【００４３】
上記構成により、吸気口５Ａから乾燥した空気が吸気されるので、本体ケース１内では水滴の混ざった空気が流れることがなくなるとともに、プリント基板などの電装部品１０にも水滴がつかず、また水受け部１１下部という人の耳の位置から遠い場所に吸気口５Ａがあるため、吸気風路８が長くなることとあわせて騒音を抑えることができる。
【００４４】
このように本発明の参考例１の手乾燥装置によれば、品質を確保したうえで、騒音を低下させることができることとなる。
【００４５】
（参考例２）
参考例２は、図６に示すように、上記実施の形態１または参考例１に対し、吸気口５に吸気流の流れと直交する遮蔽板１２を設け、前記遮蔽板１２の端部側に流路を形成した点に特徴がある。
【００４６】
上記構成により、本体ケース１内から吸気口５を通って室内へ伝播する騒音を、遮蔽板１２によって減衰させ、また、吸気流に水滴が混ざっている場合には、水滴を遮蔽板１２に付着させて本体ケース１内への侵入を阻止する。
【００４７】
また、吸気流と同じ方向に並行に短い間隔でスリット１３を設けることで、流れを整流しスムーズにするだけでなく、人が指を入れるなどの危険を防ぐことができる。
【００４８】
このように本発明の参考例２の手乾燥装置によれば、騒音をさらに低下させることができ、また、水滴の本体ケース１内侵入阻止機能を高めて品質を向上させることができることとなる。
【産業上の利用可能性】
【００４９】
本発明の手乾燥装置は、レストランやホテルなどの洗面所やトイレに設置され、また病院や手術室や調理場においても適用される。
【図面の簡単な説明】
【００５０】
【図１】本発明の実施の形態１の手乾燥装置を示す側構成図
【図２】同手乾燥装置の主要部の分解斜視図
【図３】同手乾燥装置の本体ケースの縦構成図
【図４】同手乾燥装置の主要部の斜視図
【図５】本発明の参考例１の手乾燥装置を示す側構成図
【図６】本発明の参考例２の手乾燥装置の本体ケースの縦構成図
【図７】従来の手乾燥装置を示す側構成図
【符号の説明】
【００５１】
１    本体ケース
１Ａ  リアケース
１Ｂ  フロントケース
２    ノズル部
３    ファンモーター
３Ａ  吸込口
４    加熱手段
５    吸気口
６    ファンモーター支持ケース
７    ファンモーターフロントケース
８    吸気風路
９    外周壁
１０  開口
１１  水受け部
１２  遮蔽板
【図１】
0004293271.tif 000002
【図２】
0004293271.tif 000003
【図３】
0004293271.tif 000004
【図４】
0004293271.tif 000005
【図５】
0004293271.tif 000006
【図６】
0004293271.tif 000007
【図７】
0004293271.tif 000008